(57)【要約】【課題】多層ディスク再生時の球面収差補正のため、コリメータレンズを移動させても、対物レンズを通して出射されるレーザ光のパワーの変化を小さく抑えることが可能な光ピックアップを提供する。【解決手段】光ピックアップ１において、コリメータレンズ１３とＢＤ用対物レンズ１１ａ間の光学的距離Ｄ１が、短い波長のレーザ光の入射時におけるコリメータレンズ１３の焦点距離Ｆｃｏｌ１以下になり、且つ、当該コリメータレンズ１３とＣＤ／ＤＶＤ用対物レンズ１１ｂ間の光学的距離Ｄ２が、長い波長のレーザ光の入射時におけるコリメータレンズ１３の焦点距離Ｆｃｏｌ２以上になるように基準位置に配置されるように構成した。【選択図】図６
2009116937.tif 000002
【特許請求の範囲】
【請求項１】
レーザ光を記録媒体に照射し、当該記録媒体によって反射される反射光を受光することにより信号を読み取るピックアップ装置において、
短い波長のレーザ光用の第一の対物レンズと、長い波長のレーザ光用の第二の対物レンズとの少なくとも２つの対物レンズと、
前記レーザ光の光軸上に配置され、収差を補正するために前記光軸上を移動する収差補正機能を有するコリメータレンズと、を備え、
前記第一の対物レンズ及び前記第二の対物レンズは、前記短い波長のレーザ光に対する収差補正のためにコリメータレンズが移動する範囲の中間位置から前記第一の対物レンズまでの第一の光学的距離が、前記長い波長のレーザ光に対する収差補正のためにコリメータレンズが移動する範囲の中間位置から前記第二の対物レンズまでの第二の光学的距離よりも短くなるように夫々配置され、
前記コリメータレンズは、前記第一の光学的距離が、前記短い波長のレーザ光の入射時における前記コリメータレンズの焦点距離以下になり、且つ、前記第二の光学的距離が、前記長い波長のレーザ光の入射時における前記コリメータレンズの焦点距離以上になるような位置に配置されていることを特徴とするピックアップ装置。
【請求項２】
請求項１に記載のピックアップ装置において、
前記コリメータレンズは、前記第一の光学的距離が、前記短い波長のレーザ光の入射時における前記コリメータレンズの焦点距離と略等しく、且つ、前記第二の光学的距離が、前記長い波長のレーザ光の入射時における前記コリメータレンズの焦点距離より長くなるような基準位置に配置されていることを特徴とするピックアップ装置。
【請求項３】
請求項１に記載のピックアップ装置において、
前記コリメータレンズは、前記第一の光学的距離が、前記短い波長のレーザ光の入射時における前記コリメータレンズの焦点距離より短くなり、且つ、前記第二の光学的距離が、前記長い波長のレーザ光の入射時における前記コリメータレンズの焦点距離と略等しくなるような基準位置に配置されていることを特徴とするピックアップ装置。
【請求項４】
請求項１に記載のピックアップ装置において、
前記記録媒体は、当該記録媒体表面からの距離が互いに異なる少なくとも２層の記録面を有し、
第一の前記記録面から情報を再生する直前に前記収差補正用レンズが前記基準位置から移動する距離と、第二の前記記録面から情報を再生する直前に前記収差補正用レンズが前記基準位置から移動する距離とは略等しいことを特徴とするピックアップ装置。
【発明の詳細な説明】
【技術分野】
【０００１】
本願は、レーザ光を光ディスク等の記録媒体に照射し、当該記録媒体によって反射される反射光を受光することにより信号を読み取るピックアップ装置等の技術分野に関する。
【背景技術】
【０００２】
従来から、ピックアップ装置（以下、「光ピックアップ」という）では、光源から出射されたレーザ光をモニタし、ＡＰＣ（automatic power control）により当該レーザ光のパワーコントロールを行うことにより、当該光ビームのパワーレベルの安定化を図ることが行われている。このようなレーザ光をモニタする代表的な方式として、特許文献１及び２に開示されるように、レーザダイオードのパッケージ内部にレーザ光の出射側と反対位置に置いたフォトディテクタでモニタするリアモニタ方式と、出射側光学系光路中でモニタするフロントモニタ方式とが知られている。
【０００３】
このリアモニタ方式は高速応答性や検出精度等に問題があり、特に、記録用の光ピックアップでは瞬時のパワーをコントロールする必要があるため、一般的にはフロントモニタ方式が採用されている。しかし、フロントモニタ方式は光学系上にフロントモニタを配置する必要があり、構造が複雑になるという問題があるため、高速応答性を必要としない再生専用の光ピックアップでは、リアモニタ方式が採用されていることも多い。
【０００４】
ところで、光ディスクの表面からの距離が互いに異なる複数層の記録面を有するいわゆる多層ディスク、例えば２層ディスクの再生時において、当該距離の違い（サブストレート（樹脂層）の厚さの違い）により球面収差が生じることが知られている。かかる球面収差は、光ピックアップに搭載された、光軸上を移動するコリメータレンズにより補正することが可能である。
【特許文献１】特開平０６−２０３４０４号公報
【特許文献２】特開２０００−２１００１号公報
【発明の開示】
【発明が解決しようとする課題】
【０００５】
しかしながら、リアモニタ方式を採用する光ピックアップでは、ＡＰＣにより上記レーザからの出射パワーレベルを安定化させることはできるが、上記多層ディスク再生時の球面収差を補正するためにコリメータレンズを移動させると、対物レンズを通して出射されるレーザ光のパワーが変化（変動）してしまい、ひいては、光ピックアップから出力されるＲＦ信号やフォーカスエラー信号等の出力信号のレベルが変化してしまうという問題がある。
【０００６】
そこで、本願は、このような問題の解消を課題の一つとし、多層ディスク再生時の球面収差補正のため、コリメータレンズを移動させても、対物レンズを通して出射されるレーザ光のパワーの変化を小さく抑えることが可能な光ピックアップを提供することを目的とする。
【課題を解決するための手段】
【０００７】
上記課題を解決するため、請求項１に記載の発明は、レーザ光を記録媒体に照射し、当該記録媒体によって反射される反射光を受光することにより信号を読み取るピックアップ装置において、短い波長のレーザ光用の第一の対物レンズと、長い波長のレーザ光用の第二の対物レンズとの少なくとも２つの対物レンズと、前記レーザ光の光軸上に配置され、収差を補正するために前記光軸上を移動する収差補正機能を有するコリメータレンズと、を備え、前記第一の対物レンズ及び前記第二の対物レンズは、前記短い波長のレーザ光に対する収差補正のためにコリメータレンズが移動する範囲の中間位置から前記第一の対物レンズまでの第一の光学的距離が、前記長い波長のレーザ光に対する収差補正のためにコリメータレンズが移動する範囲の中間位置から前記第二の対物レンズまでの第二の光学的距離よりも短くなるように夫々配置され、前記コリメータレンズは、前記第一の光学的距離が、前記短い波長のレーザ光の入射時における前記コリメータレンズの焦点距離以下になり、且つ、前記第二の光学的距離が、前記長い波長のレーザ光の入射時における前記コリメータレンズの焦点距離以上になるような位置に配置されていることを特徴とする。
【発明を実施するための最良の形態】
【０００８】
以下、本願の最良の実施形態を添付図面に基づいて説明する。なお、以下に説明する実施の形態は、記録媒体の一例としての光ディスクに記録された情報を再生する情報再生装置に対して本願を適用した場合の実施形態である。
【０００９】
図１は、本実施形態に係る情報再生装置の概要構成例を示す図である。
【００１０】
図１に示すように、情報再生装置Ｓは、光ピックアップ１、再生処理部２、外部出力処理部３、制御部４、及びレンズ駆動回路５等を備えて構成されている。
【００１１】
なお、情報再生装置Ｓにおける所定位置に載置された光ディスクＤを回転駆動させるスピンドルモータ、光ピックアップ１を光ディスクＤにおける所定の読取位置まで移動させるキャリッジ、レーザダイオードのレーザ光の強度を制御するレーザ駆動回路、及びスピンドルモータ，キャリッジ及び光ピックアップ１におけるアクチュエータをサーボ制御するサーボ制御回路については図示を省略している。
【００１２】
また、本実施形態では、光ディスクＤの例として、光ディスク表面からの距離が互いに異なる２層の記録面（「Ｌ０面」（第一の記録面）と「Ｌ１面」（第二の記録面））を有する２層ディスクを主として適用する。当該２層ディスクとしては、例えば、短い波長（例えば４０５ｎｍ）のレーザ光の照射により記録情報が再生されるＢＤ（Blu-ray Disc）と、長い波長（例えば６５０ｎｍ）のレーザ光の照射により記録情報が再生されるＤＶＤ（Digital Versatile Disc）が挙げられる。なお、ＢＤとＤＶＤでは、Ｌ０とＬ１の定義が異なるので、本実施形態においては、サブストレートの薄い方をＬ１、厚い方をＬ０と、ＢＤの呼び方を使用するものとする。また、情報再生装置Ｓは、ＢＤ及びＤＶＤの他にもＣＤ（Compact Disc）の記録情報も再生可能になっている。
【００１３】
光ピックアップ１は、光ディスクＤにレーザ光を照射し、当該光ディスクＤによって反射される反射光を受光することにより信号を読み取るようになっている。
【００１４】
より具体的に、光ピックアップ１は、ＢＤ用対物レンズ（短い波長のレーザ光用の第一の対物レンズの一例）１１ａ、ＣＤ／ＤＶＤ用対物レンズ（長い波長のレーザ光用の第二の対物レンズの一例）１１ｂ、ＢＤ用反射ミラー１２ａ、ＣＤ／ＤＶＤ用反射ミラー１２ｂ、レーザ光の光軸上に配置され球面収差を補正するために当該光軸上を移動するコリメータレンズ１３、ビームスプリッタ（プリズム）１４ａ〜１４ｃ、マルチレンズ１５、受光素子１６、ＢＤ用レーザダイオード１７ａ、ＤＶＤ用レーザダイオード１７ｂ、ＣＤ用レーザダイオード１７ｃ、制御部４からの指令に従ってコリメータレンズ１３を駆動するパルスモータ１８及び駆動機構１９等を備えて構成されている。
【００１５】
このような光ピックアップ１の構成において、再生対象がＢＤの場合、ＢＤ用レーザダイオード１７ａからレーザ光が出射され、その光はビームスプリッタ１４ａにより反射され、コリメータレンズ１３により略平行光にされる。そして、略平行光にされた光は、ＢＤ用反射ミラー１２ａにより反射され、ＢＤ用対物レンズ１１ａに入射し、ＢＤの記録面（Ｌ０面とＬ１面の何れか）に集光される。また、ＢＤから反射された反射光は、ＢＤ用反射ミラー１２ａにより反射され、コリメータレンズ１３及びビームスプリッタ１４ａ，１４ｂ等を透過し、マルチレンズ１５を介して、受光素子１６により受光される。そして、受光された光の強度に応じたＲＦ（Radio Frequency）信号がＲＦアンプ（図示せず）によって所定のレベルまで増幅され再生処理部２に出力されることになる（ＤＶＤ及びＣＤの場合も同様）。
【００１６】
一方、再生対象がＤＶＤの場合、ＤＶＤ用レーザダイオード１７ｂからレーザ光が出射され、その光はビームスプリッタ１４ｃを透過してビームスプリッタ１４ｂにより反射され、ビームスプリッタ１４ａを透過して、コリメータレンズ１３により略平行光にされる。そして、略平行光にされた光は、ＣＤ／ＤＶＤ用反射ミラー１２ｂにより反射され、ＣＤ／ＤＶＤ用対物レンズ１１ｂに入射し、ＤＶＤの記録面（Ｌ０面とＬ１面の何れか）に集光される。また、ＤＶＤから反射された反射光は、ＣＤ／ＤＶＤ用反射ミラー１２ｂにより反射され、コリメータレンズ１３及びビームスプリッタ１４ａ，１４ｂを透過等し、マルチレンズ１５を介して、受光素子１６により受光される。
【００１７】
コリメータレンズ１３は、レンズ駆動回路５、駆動機構１９及びパルスモータ１８の作用により光軸方向（図中矢印方向）に移動する。これにより、ＢＤ用対物レンズ１１ａ又はＣＤ／ＤＶＤ用対物レンズ１１ｂに入射する光の開き角が調節され、球面収差を補正することができる。
【００１８】
また、本実施形態における光ピックアップ１では、レーザダイオード１７ａ〜１７ｃのチップ近傍（パッケージ内部にレーザ光の出射側と反対位置）にフォトディテクタ（図示せず）が設けられており、当該フォトディテクタでレーザダイオードの出射パワーをモニタするリアモニタ方式が採用されている。こうしてモニタされるレーザ光の出射パワー（出力）が一定になるように、ＡＰＣ（図示せず）により制御される。
【００１９】
次に、再生処理部２は、光ピックアップ１からのＲＦ信号に対して所定の復調処理、誤り訂正処理、及びデコード処理等を施して、ディジタル信号（オーディオ信号及びビデオ信号等）に変換し、当該ディジタル信号を外部出力処理部３に出力する。
【００２０】
外部出力処理部３は、再生処理部２からのディジタル信号に係るオーディオ信号をスピーカに出力、及びディジタル信号に係るビデオ信号をディスプレイに出力するための処理を行う。なお、かかる処理については公知であるので詳しい説明は省略する。また、再生処理部２は、ＲＦ信号から得られる情報（例えば、ＲＦレベル）を制御部４に出力するようになっている。
【００２１】
制御部４は、ＣＰＵ、各種データ及びプログラムを記憶するＲＯＭ、作業用ＲＡＭ等を備えて構成されており、ＣＰＵが上記プログラムを実行することにより、情報再生装置Ｓ全体を統括制御して、光ディスクＤの再生制御や球面収差補正制御等を行うようになっている。この球面収差補正制御においては、制御部４がレンズ駆動回路５へ指令を与えてパルスモータ１８及び駆動機構１９を駆動制御し、コリメータレンズ１３を駆動させる（つまり、光軸方向に移動させる）ことにより球面収差の補正を行うようになっている。例えば、制御部４が光ディスクＤの再生制御を行い、光ピックアップ１により読み取られた信号から得られるパラメータとしてのＲＦレベルやジッタ等が最良（例えば、ＲＦレベルの場合のその値が極値（例えば最大）、ジッタの場合その値が極値（例えば最小））となるように制御を行うことで、球面収差の補正が実行されることになる。
【００２２】
ここで、２層ディスク（ＢＤ又はＤＶＤ）再生時における球面収差補正のためのコリメータレンズ１３の移動について、図２乃至図４等を用いて、詳しく説明する。
【００２３】
図２は、光ピックアップ１における光学系の概略構成を示す図であり、（Ａ）は、コリメータレンズ１３が収差補正のためにコリメータレンズが移動する範囲の中間位置（以下、「基準位置」という）にあるときを示し、（Ｂ）は、２層ディスクのＬ０面再生時（直前）においてコリメータレンズ１３が移動する様子を示し、（Ｃ）は、２層ディスクのＬ１面再生時（直前）においてコリメータレンズ１３が移動する様子を示している。なお、図２の例において、「Ｆｃｏｌ」はコリメータレンズ１３の焦点距離を示し、「Ｄ」（Ｄ＝Ｄ_ａ＋Ｄ_ｂ）はコリメータレンズと対物レンズ間（例えば、コリメータレンズ１３（主点位置Ｐ）からＢＤ用対物レンズ１１ａの主点位置まで）の光学的距離を示している。また、図２の例において、「収差補正のためにコリメータが移動する範囲」とは、（Ｂ）でコリメータレンズ１３が移動した位置から（Ｃ）でコリメータレンズ１３が移動した位置までの範囲を示している。
【００２４】
また、図３（Ａ）は、２層ディスクのＬ０面再生時とＬ１面再生時において、コリメータレンズと対物レンズ間の光学的距離を変化させた（コリメータレンズ１３の単位移動量α＝±２ｍｍ（プラスマイナス２ミリメートル）とした）ときのレーザ光（出射光）の使用径の変化を示す図であり、図３（Ｂ）は、対物レンズを通して出射されるレーザ光の径（径が大きいほどレーザ光のパワーが大）のイメージを示す図である。なお、図３（Ａ）の例において、縦軸の「瞳径の割合」は、レーザ光の基準径（図３（Ｂ）の符号５１部）に対する使用径の割合（比）を意味する。また、上記使用径は、実際に対物レンズより出射される光を、レーザダイオードから出射されるレーザ光に換算した径を意味する。また、上記光学的距離は、光の屈折率ｎを考慮した距離を意味する。例えば、空気中の屈折率ｎを「１」としたとき、屈折率ｎ０で厚さｔの物体内を通過する場合の光学的距離はｔ／ｎ０となる。図４は、光学的距離の算出例を示す図である。図４に示すように、Ａ−Ｂ間の実際の距離は、Ｌ１＋Ｌ２＋Ｌ３＋Ｌ４＋Ｌ５になるが、Ａ−Ｂ間の光学的距離は、Ｌ１＋Ｌ２／ｎ２＋Ｌ３＋Ｌ４／ｎ４＋Ｌ５になる。
【００２５】
そして、図２（Ａ）に示す光学系基準位置で光学的距離Ｄ＝焦点距離Ｆｃｏｌ（例えば、１８ｍｍ）とした光学系の場合、図２（Ｂ）に示すように、Ｌ０面再生時にコリメータレンズ１３を球面収差減少のために、図中矢印方向（対物レンズ１１ａから離れる方向）に移動させた時のレーザ光の出射に対する使用径は、基準位置（Ｄ＝１８ｍｍ）の径と比べて約１．２％程度減少する（図３（Ａ）の（ａ））。一方、図２（Ｃ）に示すように、Ｌ１面再生時にコリメータレンズ１３を球面収差減少のために、図中矢印方向（対物レンズ１１ａに近づく方向）に移動させた時のレーザ光の出射に対する使用径も、基準位置（Ｄ＝１８ｍｍ）の径と比べて約１．２％程度減少する（図３（Ａ）の（ｂ））。つまり、球面収差補正のためＬ０面から情報を再生する直前にコリメータレンズ１３が基準位置から移動する距離と、球面収差補正のためＬ１面から情報を再生する直前にコリメータレンズ１３が基準位置から移動する距離とが略等しく（同一又は近い値）（方向反対）なるように対物レンズが設計されており、その中央が光源からコリメータの焦点距離となるように配置されるのである。
【００２６】
ところが、光学系基準位置で光学的距離Ｄ＝焦点距離Ｆｃｏｌ−２ｍｍ（例えば、１６ｍｍ）とした光学系では、Ｌ１面再生時のレーザ光の出射に対する使用径は、基準位置（Ｄ＝１６ｍｍ）の径と比べて約２．４％程度減少する（（図３（Ａ）の（ｃ））一方、Ｌ０面再生時のレーザ光の出射に対する使用径は、基準位置（Ｄ＝１６ｍｍ）の径とほぼ同じ径となり変化量は０となる（（図３（Ａ）の（ｄ））。
【００２７】
光学系基準位置でのコリメータレンズ１３と対物レンズ１１ａの距離を更に短くすると、Ｌ１面再生時のレーザ光の出射に対する使用径は更に減少し、Ｌ０面再生時のレーザ光の出射に対する使用径は更に増加する。
【００２８】
よって、図３（Ａ）より、図２（Ａ）に示す光学系基準位置で、コリメータレンズ１３と対物レンズ１１ａの光学的距離が、コリメータレンズ１３の焦点距離と等しい（同じ）場合、Ｌ０面とＬ１面の値（瞳径の割合）が等しくなり、Ｌ０面とＬ１面を切り替えても変化が無いが、その距離より短くなったり、長くなったりすると、Ｌ１面とＬ０面再生時の光強度（レーザ光のパワー）に差が生じることになる。
【００２９】
したがって、本実施形態においては、コリメータレンズと対物レンズ間の光学的距離と、コリメータレンズの焦点距離とが略等しく（同一又は近い値）することにより、多層ディスク再生時（例えば層間ジャンプ時）における球面収差補正のため、コリメータレンズ１３を移動させても、対物レンズを通して出射されるレーザ光のパワーの変化を小さく抑えることができる。
【００３０】
ところで、一般的な光学材料の屈折率は光の波長が長いほど小さくなるので、図５に示すように、光ピックアップで一般的に使われているような単一材料（ガラス、樹脂）で作られたコリメータレンズはＢＤ等波長の短い時のコリメータレンズ１３の焦点距離より、ＤＶＤ等波長の長い時のコリメータレンズ１３の焦点距離の方が長くなる。なお、図５は、ＢＤとＤＶＤの波長とコリメータレンズ１３の焦点距離との関係を示す図である。
【００３１】
図６は、ＢＤとＤＶＤ用の夫々の対物レンズとコリメータレンズ１３間の光学的距離と、夫々のコリメータレンズ１３の焦点距離との関係を示す図である。なお、図６の例において、「Ｆｃｏｌ１」は短い波長（ＢＤ用）でのコリメータレンズ１３の焦点距離を示し、「Ｆｃｏｌ２」は長い波長（ＤＶＤ用）でのコリメータレンズ１３の焦点距離を示し、「Ｄ１」は短い波長のレーザ光に対する基準位置にあるコリメータレンズ１３とＢＤ用対物レンズ１１ａ間の光学的距離（第一の光学的距離）を示し、「Ｄ２」は長い波長のレーザ光に対する基準位置にあるコリメータレンズ１３とＣＤ／ＤＶＤ用対物レンズ１１ｂ間の光学的距離（第二の光学的距離）を示している。
【００３２】
図６から明らかなように、ＢＤ用対物レンズ１１ａ及びＣＤ／ＤＶＤ用対物レンズ１１ｂは、コリメータレンズ１３とＢＤ用対物レンズ１１ａ間の光学的距離Ｄ１が、コリメータレンズ１３とＣＤ／ＤＶＤ用対物レンズ１１ｂ間の光学的距離Ｄ２よりも短くなるように夫々配置される。
【００３３】
そして、コリメータレンズ１３は、当該コリメータレンズ１３とＢＤ用対物レンズ１１ａ間の光学的距離Ｄ１が、短い波長のレーザ光の入射時におけるコリメータレンズ１３の焦点距離Ｆｃｏｌ１以下（Ｄ１≦Ｆｃｏｌ１）になり、且つ、当該コリメータレンズ１３とＣＤ／ＤＶＤ用対物レンズ１１ｂ間の光学的距離Ｄ２が、長い波長のレーザ光の入射時におけるコリメータレンズ１３の焦点距離Ｆｃｏｌ２以上（Ｄ２≧Ｆｃｏｌ２）になるように基準位置に配置されるようになっている。ここで、上記焦点距離のより短いＢＤ用の対物レンズ１１ａとコリメータレンズ１３との光学的距離Ｄ１がその波長での上記焦点距離Ｆｃｏｌ１より短くなるようにコリメータレンズ１３側に配置され、上記焦点距離のより長いＣＤ／ＤＶＤ用の対物レンズ１１ｂをコリメータレンズ１３との光学的距離Ｄ２がその波長での上記焦点距離Ｆｃｏｌ２より長くなるように配置されることが望ましい。これにより、トータルでコリメータレンズ１３の夫々の基準位置から夫々の対物レンズまでの距離を各焦点距離に近づけることができ、図７に示すように、ＢＤ、ＤＶＤの再生において、Ｌ０面とＬ１面の再生時のレベル変化を最小に抑えることができる。
【００３４】
図７は、対物レンズから基準位置にあるコリメータレンズまでの光学的距離とコリメータレンズの焦点距離との差を横軸として、Ｌ０，Ｌ１面再生時のレーザ光の使用径の変化を縦軸に示す図である。
【００３５】
ここで、長い波長のレーザ光に対する光学的距離Ｄ２が焦点距離Ｆｃｏｌ２より２ｍｍ長く、短い波長のレーザ光に対する光学的距離Ｄ１が焦点距離Ｆｃｏｌ１より２ｍｍ短いように光学部品（コリメータレンズ１３、ＢＤ用の対物レンズ１１ａ、ＣＤ／ＤＶＤ用の対物レンズ１１ｂ等）を配置した場合のＢＤ、ＤＶＤ夫々における瞳径の変化を図中に示している。
【００３６】
なお、Ｌ０，Ｌ１面再生時のレーザ光の使用径の変化をなくすためには上記の光学的距離と焦点距離とが各波長において等しいことが望ましいが、ＢＤ、ＤＶＤの各波長におけるコリメータレンズの焦点距離の差Ａ（図５における焦点距離の差）は、ＢＤ用の対物レンズ１１ａとＣＤ／ＤＶＤ用の対物レンズ１１ｂとの中心間の距離Ｂ（換言すれば図１のＢＤ用反射ミラー１２ａからＣＤ／ＤＶＤ用反射ミラー１２ｂまでの光軸の距離）より短いため、ＢＤとＤＶＤの両方で光学的距離と焦点距離とを等しくすることは出来ない。そこで、上記のＢ−Ａ（４ｍｍ）について、ＢＤ、ＤＶＤの各波長におけるコリメータレンズの焦点距離の長短を考慮して、ＢＤ、ＤＶＤ夫々におけるコリメータレンズの焦点距離から均等に増減（±２ｍｍ）させて光学部品を配置している。
【００３７】
この場合、Ｌ０、Ｌ１再生時の瞳径の変化はＢＤ、ＤＶＤともに変動幅２．４％（０％と−２．４％）なので、光ピックアップ１から出力するＲＦ信号等の変化幅も２．４％程度と小さく、回路での特別な補正等が不要となる。すなわち、ＢＤにおける基準位置にあるコリメータレンズ１３からＢＤ用対物レンズ１１ａまでの光学的距離Ｄ１と短い波長のレーザ光の入射時におけるコリメータレンズ１３の焦点距離Ｆｃｏｌ１との差と、ＤＶＤにおける基準位置にあるコリメータレンズ１３からＣＤ／ＤＶＤ用対物レンズ１１ｂまでの光学的距離Ｄ２と長い波長のレーザ光の入射時におけるコリメータレンズ１３の焦点距離Ｆｃｏｌ２との差とが等しい場合に、Ｌ０、Ｌ１再生時の瞳径の変化量が最小となる。
【００３８】
なお、ＢＤを優先して、コリメータレンズ１３は、当該コリメータレンズ１３とＢＤ用対物レンズ１１ａ間の光学的距離Ｄ１が、短い波長のレーザ光の入射時におけるコリメータレンズ１３の焦点距離Ｆｃｏｌ１と略等しく、且つ、当該コリメータレンズ１３とＣＤ／ＤＶＤ用対物レンズ１１ｂ間の光学的距離Ｄ２が、長い波長のレーザ光の入射時におけるコリメータレンズ１３の焦点距離Ｆｃｏｌ２より長くなるように基準位置に配置されるように構成すれば、Ｓ／Ｎの低い安定したＲＦ信号を要するＢＤに関しては、コリメータ移動時の出力変化によるＳ／Ｎ悪化等の悪影響を更に抑えることができる。
【００３９】
また、ＤＶＤを優先して、コリメータレンズ１３は、当該コリメータレンズ１３とＢＤ用対物レンズ１１ａ間の光学的距離Ｄ１が、短い波長のレーザ光の入射時におけるコリメータレンズ１３の焦点距離Ｆｃｏｌ１より短くなり、且つ、当該コリメータレンズ１３とＣＤ／ＤＶＤ用対物レンズ１１ｂ間の光学的距離Ｄ２が、長い波長のレーザ光の入射時におけるコリメータレンズ１３の焦点距離Ｆｃｏｌ２と略等しくなるように基準位置に配置されるように構成しても良い。
【００４０】
以上説明したように、上記実施形態によれば、コリメータレンズ１３とＢＤ用対物レンズ１１ａ間の光学的距離Ｄ１が、短い波長のレーザ光の入射時におけるコリメータレンズ１３の焦点距離Ｆｃｏｌ１以下（Ｄ１≦Ｆｃｏｌ１）になり、且つ、当該コリメータレンズ１３とＣＤ／ＤＶＤ用対物レンズ１１ｂ間の光学的距離Ｄ２が、長い波長のレーザ光の入射時におけるコリメータレンズ１３の焦点距離Ｆｃｏｌ２以上（Ｄ２≧Ｆｃｏｌ２）になるように基準位置に配置されるように構成したので、２層ディスク再生時の球面収差補正のため、コリメータレンズを移動させても、対物レンズを通して出射されるレーザ光のパワーの変化を小さく抑えることができ、光ピックアップ１から出力されるＲＦ信号やフォーカスエラー信号等の出力信号のレベル変化を小さく抑えることができる。これにより、構造が複雑なフロントモニタ方式ではなく、リアモニタ方式を電気的な補正処理等を追加することなく採用することができる。
（他の実施形態）
次に、上述した情報再生装置Ｓに含まれる光ピックアップの他の実施形態について説明する。
【００４１】
図８は、他の実施形態に係る光ピックアップの概要構成例を示す図である。また、図９は、他の実施形態において、ＢＤとＤＶＤ用の夫々の対物レンズとコリメータレンズ１３間の光学的距離と、夫々のコリメータレンズ１３の焦点距離との関係を示す図である。なお、図８において、図１と同様の構成部分については同一の符号を付し、重複する説明を省略する。
【００４２】
上記実施形態においては、ＢＤとＣＤ／ＤＶＤ用の両対物レンズ用に１個の受光素子を使用した例を示したが、受光素子が１つのため、各レーザ光の発光位置も受光素子との関係から自由に設定できなかった。しかし、他の実施形態に係る光ピックアップ１ａでは、図８に示すように、短い波長のレーザ光用（ＢＤ用）の受光素子１６ａ（第一の受光素子）と、長い波長のレーザ光用（ＤＶＤ等用）のＣＤ／ＤＶＤ用ホログラム（ＣＤ用及びＤＶＤ用のレーザダイオードと受光素子（第二の受光素子）内蔵のホログラムユニット、別に専用の受光素子を設けても良い）１６ｂを有しており（つまり、受光素子を２つに分けた）、ＣＤ／ＤＶＤ用ホログラム１６ｂの位置をコリメータレンズ１３の可動範囲を考慮して該コリメータレンズ１３に近づける方向（図８の矢印方向）に移動（図９に示す距離Ｚ分）させることで、ＢＤのコリメータ基準位置１より、ＤＶＤのコリメータ基準位置２をより対物レンズに近づくように構成している。このような構成によれば、コリメータレンズ１３とＢＤ用対物レンズ１１ａ間の光学的距離Ｄ１を短い波長（ＢＤ用）でのコリメータレンズ１３の焦点距離Ｆｃｏｌ１に、コリメータレンズ１３とＣＤ／ＤＶＤ用対物レンズ１１ｂ間の光学的距離Ｄ２を長い波長（ＤＶＤ用）でのコリメータレンズ１３の焦点距離Ｆｃｏｌ２に更に近づけることができ、Ｌ０面とＬ１面の再生時のレベル変動を更に減少させることができる。
【図面の簡単な説明】
【００４３】
【図１】本実施形態に係る情報再生装置の概要構成例を示す図である。
【図２】光ピックアップ１における光学系の概略構成を示す図である。
【図３】（Ａ）は、２層ディスクのＬ０面再生時とＬ１面再生時において、コリメータレンズの基準位置と対物レンズ間の光学的距離を変化させたときのレーザ光の使用径の変化を示す図であり、（Ｂ）は、対物レンズを通して出射されるレーザ光の径のイメージを示す図である。
【図４】光学的距離の算出例を示す図である。
【図５】ＢＤとＤＶＤの波長とコリメータレンズ１３の焦点距離との関係を示す図である。
【図６】ＢＤとＤＶＤ用の夫々の対物レンズとコリメータレンズ１３間の光学的距離と、夫々のコリメータレンズ１３の焦点距離との関係を示す図である。
【図７】ＢＤとＤＶＤのＬ０，Ｌ１面再生時において、コリメータレンズと対物レンズ間の光学的距離を変化させたときのレーザ光の使用径の変化を示す図である。
【図８】他の実施形態に係る光ピックアップの概要構成例を示す図である。
【図９】他の実施形態において、ＢＤとＤＶＤ用の夫々の対物レンズとコリメータレンズ１３間の光学的距離と、夫々のコリメータレンズ１３の焦点距離との関係を示す図である。
【符号の説明】
【００４４】
１，１ａ  光ピックアップ
２  再生処理部
３  外部出力処理部
４  制御部
５  レンズ駆動回路
１１ａ  ＢＤ用対物レンズ
１１ｂ  ＣＤ／ＤＶＤ用対物レンズ
１２ａ  ＢＤ用反射ミラー
１２ｂ  ＣＤ／ＤＶＤ用反射ミラー
１３  コリメータレンズ
１４ａ〜１４ｃ  ビームスプリッタ
１５  マルチレンズ
１６，１６ａ  受光素子
１６ｂ  ＣＤ／ＤＶＤ用ホログラム
１７ａ  ＢＤ用レーザダイオード
１７ｂ  ＤＶＤ用レーザダイオード
１７ｃ  ＣＤ用レーザダイオード
１８  パルスモータ
１９  駆動機構
Ｓ  情報再生装置
【図１】
2009116937.tif 000003
【図２】
2009116937.tif 000004
【図３】
2009116937.tif 000005
【図４】
2009116937.tif 000006
【図５】
2009116937.tif 000007
【図６】
2009116937.tif 000008
【図７】
2009116937.tif 000009
【図８】
2009116937.tif 000010
【図９】
2009116937.tif 000011